(57)【特許請求の範囲】
【請求項１】
支柱（１）と、該支柱（１）に係止されたスリーブ（３）と、該スリーブ（３）に嵌合可能な受け部（２１）を有し且つ該受け部（２１）と前記スリーブ（３）との嵌合により前記支柱（１）に取り付けられてなる物置盤（２）とを備えてなり、
前記支柱（１）は、複数の管状体（１０）が連結具（２０）によって連結されて構成されてなり、前記連結具（２０）は、雄ネジに螺刻された雄ネジ部（６）を上下段に有し、前記管状体（１０）の内周面は、雌ネジに螺刻されてなり、管状体（１０）の連結は、前記連結具（２０）の上下段にある雄ネジ部（６）をそれぞれ別の管状体（１０）の前記内周面側に螺入することにより成されてなる組立式物置台において、
前記管状体（１０）の内周面の端縁部に、端縁方向に向けて拡径する内側斜面（４）が形成され、連結される前記管状体（１０）の端縁同士が突き合わされることにより、内周面側には、前記内側斜面（４）が連続して位置決め溝（２２）が形成されてなり、しかも、前記連結具（２０）の中段には、前記位置決め溝（２２）の内面に当接可能で且つ前記位置決め溝（２２）に収まるフランジ状のストッパー（７）が設けられてなることを特徴とする組立式物置台。
【請求項２】
前記連結具（２０）は、上下段にある前記雄ネジ部（６）と前記ストッパー（７）との間に、環状の凹部（２３）が設けられてなる請求項２記載の組立式物置台。
【請求項３】
前記支柱（１）は、所定の間隔をあけて環状溝（１１）が設けられてなり、
前記スリーブ（３）は、分割可能に構成されると共に前記環状溝（１１）と嵌合可能な凸部（２５）が内周面に設けられ、前記環状溝（１１）と前記凸部（２５）との嵌合により前記支柱（１）に係止されてなる構成で、
前記管状体（１０）の外周面側の端縁部には、端縁方向に向けて縮径する外側斜面（５）が形成されてなり、前記管状体（１０）の端縁が互いに突き合わされることにより、前記外側斜面（５）が連続し、前記凸部（２５）と嵌合可能な組立環状溝（１４）が形成されてなる請求項１又は２記載の組立式物置台。
【発明の詳細な説明】
【０００１】
【発明の属する技術分野】
本発明は、組立式物置台に関し、特に、複数の管状体が連結されて構成される支柱を備えた組立式物置台に関するものである。
【０００２】
【従来の技術】
従来、この種の組立式物置台としては、図８、９に示すものが公知である。
即ち、同図に示す如く、主に４本の支柱１と、該支柱１に外嵌係止されたスリーブ３と、該スリーブ３に嵌合可能な受け部２１を有し且つ該受け部２１と前記スリーブ３との嵌合により前記支柱１に取り付けられてなる物置盤２とを備えてなるもので、各支柱１は、複数の管状体１０が連結具２０によって連結されて構成されてなり、前記連結具２０は雄ネジに螺刻された雄ネジ部６を上下段に有し、前記管状体１０の内周面は雌ネジに螺刻され、その連結は、前記連結具２０の上下段にある雄ネジ部６をそれぞれ別の管状体１０の前記内周面に螺入することにより成されてなり、前記連結具２０は、中段にフランジ状のストッパー７が設けられてなり、前記ストッパー７は、前記管状体１０が連結された状態では、互いに突き合わされる前記管状体１０の端縁と端縁との間に介在し、外側に露出してなるものである。
【０００３】
【発明が解決しようとする課題】
しかしながら、上記従来の組立式物置台は、物置盤２に重い物を載置して荷重をかけた際、かかる荷重は主にストッパー７にかかるため、連結具２０（特にストッパー７）の負担が大きく、その結果、連結具２０の部分で支柱１が曲がったり変形したりする場合があり、比較的壊れやすいものであった。
【０００４】
特に、支柱１に所定間隔の環状溝１１を設け、該環状溝１１によってスリーブ３を係止させて、前記物置盤２の高さを調整する構成のもので、前記ストッパー７の外径を管状体１０の外径よりも小さくし、前記管状体１０の端縁を前記ストッパー７にそれぞれ当接させて、ストッパー７の間隔で環状溝１１を形成する場合（図９参照）には、管状体１０の端縁全面ではなく、外径の小さいストッパー７と管状体１０の端縁とが当接する部分に局部的に荷重がかかるので、管状体１０のストッパー７と当接する部分が欠けたり、変形したりする場合もあり、強度の弱いものであった。
【０００５】
これに対し、図１０に示すものが考えられた。
即ち、同図に示す如く、連結具２０にストッパー７を設けずに構成し、管状体１０を連結する際、連結される管状体１０の端縁が互いに当接するように構成されてなるものである。
このように、連結される管状体１０の端縁同士を当接させることにより、管状体１０にかかる荷重を次の管状体１０に伝達させ、連結具２０の負担を分散させることができる。
【０００６】
しかしながら、上記構成からなるものは、各管状体１０を単にねじ合わせる方法で相互に連結するものであるため、ねじ合わせ（螺入）の過程では、図１１に示すズレ２６やガタツキが発生することになり、管状体１０の端縁をストッパー７に当接させてズレやガタツキを修正することもできないので、支柱１を構成した際、僅かに左右に傾くことになる。
このため、物置盤２に重い物を載置すると、荷重が傾いたところに集中し、物置台が壊れる虞もある。
【０００７】
そこで、本発明は、上記従来の問題点に鑑みなされたもので、荷重が連結具に集中することを防止でき、且つ、支柱の傾きを防止でき、荷重に対して壊れにくい組立式物置台を提供することを課題とするものである。
【０００８】
【課題を解決するための手段】
上記課題を解決すべく、本発明にかかる組立式物置台は、支柱１と、該支柱１に係止されたスリーブ３と、該スリーブ３に嵌合可能な受け部２１を有し且つ該受け部２１と前記スリーブ３との嵌合により前記支柱１に取り付けられてなる物置盤２とを備えてなり、
前記支柱１は、複数の管状体１０が連結具２０によって連結されて構成されてなり、前記連結具２０は、雄ネジに螺刻された雄ネジ部６を上下段に有し、前記管状体１０の内周面は、雌ネジに螺刻されてなり、管状体１０の連結は、前記連結具２０の上下段にある雄ネジ部６をそれぞれ別の管状体１０の前記内周面側に螺入することにより成されてなる組立式物置台において、
前記管状体１０の内周面の端縁部に、端縁方向に向けて拡径する内側斜面４が形成されて、連結される前記管状体１０の端縁同士を突き合わされることにより、内周面側には、前記内側斜面４が連続して位置決め溝２２が形成されてなり、しかも、前記連結具２０の中段には、前記位置決め溝２２の内面に当接可能で且つ前記位置決め溝２２に収まるフランジ状のストッパー７が設けられてなることを特徴とする。
【０００９】
上記構成からなる組立物置台にあっては、位置決め溝２２の内面にストッパー７を当接させることにより、螺入の過程で生じるズレやガタツキを防止でき、しかも、ストッパー７は、位置決め溝２２内に収まるため、それぞれ連結される管状体１０の互いの端縁が当接し、管状体１０同士で荷重を伝達することができるので、連結具２０にかかる負担を分散させることができる。
【００１０】
また、上記構成からなる組立物置台は、前記連結具２０が、上下段にある前記雄ネジ部６と前記ストッパー７との間に、環状の凹部２３が設けられてなるものが好ましい。
かかる構成を採用することにより、管状体１０の内周面と前記雄ネジ部６のそれぞれのねじ山が互いに擦れることで、万一バリが発生しても、前記バリを凹部２３に逃がしてやることができ、雄ネジ部６を管状体１０の内周面にスムーズに螺入することができる。
【００１１】
更に、本発明の組立式物置台にあっては、前記支柱１が、所定の間隔をあけて環状溝１１が設けられてなり、前記スリーブ３は、分割可能に構成されると共に前記環状溝１１と嵌合可能な凸部２５が内周面に設けられ、前記環状溝１１と前記凸部２５との嵌合により前記支柱１に係止されてなる構成で、前記管状体１０の外周面側の端縁部には、端縁方向に向けて縮径する外側斜面５が形成されてなり、前記管状体１０の端縁が互いに突き合わされることにより、前記外側斜面５が連続して前記凸部２５と嵌合可能な組立環状溝１４が形成されてなるものであってもよい。
このように構成することで、組立環状溝１４、即ち管状体１０と管状体１０が連結する部分の環状溝１４にスリーブ３を係止させて、その高さ位置に物置盤２を配置させることもでき、組立態様が多様化するという利点を有するものとなるのである。
【００１２】
【発明の実施の形態】
以下、本発明の実施の形態について、図面を参照しつつ説明する。
図１は、本実施形態の組立式物置台の概略図である。
本実施形態の組立式物置台は、４本の支柱１と、該支柱１に外嵌係止されたスリーブ３と、該スリーブ３に嵌合可能な受け部２１を有し且つ該受け部２１と前記スリーブ３との嵌合により前記支柱１に取り付けられてなる物置盤２とを備えてなる。
【００１３】
各前記支柱１は、複数の管状体１０が連結されて構成され、長手方向に所定の間隔をあけて、長手方向に略垂直で且つ断面視略半円状の複数の環状溝１１が、外周面に設けられてなる。
また、図２、３に示す如く、前記管状体１０の内周面は、端縁近傍から端縁にかけて雌ネジが螺刻され、端縁部には、端縁方向に向けて拡径する（広がる）内側斜面４が設けられてなり、管状体の外周面端縁部には、端縁方向に向けて縮径する（狭まる）外側斜面５が設けられてなる。
【００１４】
そして、連結される管状体１０の端縁と端縁とを突き合わせることにより、内側斜面４の端縁同士、外側斜面５の端縁同士が互いに連続し、互いの内側斜面４同士及び外側斜面５同士がそれぞれ対向して、内周面側に断面視ｖ字状の位置決め溝２２、外周面側に断面視半円状の組立環状溝１４（１１）が形成されてなる。
【００１５】
前記管状体１０と管状体１０との連結には、管状の連結具２０が用いられている。この連結具２０は、上下段に雄ネジが螺刻された雄ネジ部６が、中段に断面視三角形でフランジ状のストッパー７が、前記雄ネジ部６と前記ストッパー７との間の全域に、環状の凹部２３が設けられてなり、上下段に設けられた雄ネジ部６が、連結される二本の管状体１０の端縁から内周面側にそれぞれ螺入されて、管状体１０と管状体１０とを連結してなる。
【００１６】
また、前記フランジ状のストッパー７は、その径が前記管状体１０の外径よりも小さく、内径よりも大きく、前記位置決め溝２２の底部と同径に設定されて、前記位置決め溝２２に完全に収まる大きさで、その形状は、前記位置決め溝２２と略同一の形状に成形されて、管状体１０と管状体１０とを連結した状態では、位置決め溝２２の内面に当接する様に構成されてなる。
【００１７】
従って、連結した状態では、連結された管状体１０の端縁同士は、互いに当接し、前記ストッパー７は、位置決め溝２２の内面に当接しつつ、支柱１の外側に露出しない状態となっている。
【００１８】
前記スリーブ３は、図３、４に示す如く、前記支柱１が貫通可能な貫通孔が軸芯方向に沿って設けられた略円錐台形状の筒体に形成されてなり、内周面には、前記環状溝１１と嵌合可能で、且つ、内周面に沿って環状に形成された断面視略半円状の凸部２５が設けられてなる。
そして、この凸部２５と前記環状溝１１を嵌合させることにより、支柱１の所望位置に外嵌係止されてなる。
また、前記スリーブ３は、図１に示す如く、２つの半体が嵌合により組み合わされて構成され、必要に応じ分割できる構成になっている。
【００１９】
前記物置盤２は、長方形状の網板で、４つのコーナーに筒状の受け部２１を有してなる。
この各受け部２１は、前記スリーブ３と嵌合可能な円錐台状の貫通孔を有し、該貫通孔に前記スリーブ３を挿入することにより、該スリーブ３に嵌合固定されてなる。
そして、各受け部２１が各スリーブ３に嵌合固定されることにより、前記物置盤２は、スリーブ３を介して支柱１に取り付けられ、本実施形態の組立式物置台が構成される。
【００２０】
本実施形態の組立式物置台は、上記の如く、構成されてなるので、以下の利点を有するものである。
即ち、上記実施形態の組立式物置台は、フランジ状のストッパー７が位置決め溝２２と略同一形状に成形されてなるので、連結した状態では、連結される２つの管状体１０と連結具２０との一体性が向上して、非常に頑丈な支柱１となって、物置盤２に重量物を載置した場合であっても、物置台が潰れたり変形したりする虞もないのである。
【００２１】
また、前記ストッパー７の存在により、連結される管状体１０の一方に必要以上に螺入される虞も無く、螺入作業も容易となり、組立の容易な物置台となるのである。しかも、ストッパー７は中段に設けられてなるので、管状体１０の内部に螺入される長さは、上段と下段で等しくなり、上段と下段での管状体１０との結合力が等しく、局部的な強度低下の無いバランスの取れた支柱１を備えたものとなるのである。
【００２２】
尚、本実施形態の組立式物置台は、上記構成により上記の如き利点を有するものであったが、本発明の組立式物置台は、上記実施形態に限定されるものではなく、適宜設計変更可能である。
【００２３】
即ち、上記実施形態では、連結具２０に設けられたストッパー７は、断面視略三角形状に設けられたが、本発明において、図５に示す如く、位置決め溝２２を断面視半円状とし、ストッパー７の形状を、かかる位置決め溝２２に嵌合可能な形状、即ち、断面視半円状に膨出した形状とするものであっても本発明の意図する範囲内である。
かかる構成を採用することにより、ストッパー７の角が無くなり、連結具２０を使用していて、不用意に手を切る等、怪我をする虞も無いのである。
逆に、支柱１の外周面に設けられる環状溝１１（組立環状溝１４を含む）を、図５、６、７に示す如く、断面視Ｖ字状とし、スリーブ３の内周面に設けられた凸部２５を三角形状（逆Ｖ字状）とするものであってもよい。
【００２４】
また、上記実施形態においては、雄ネジ部６をストッパー７との間の全域に環状凹部２３を設けたが、図６に示す如く、外径が管状体１０の内径と同長に設定されてなる円柱部９を連結具２０の中段に設け、該円柱部９の略中段にストッパー７を設ける構成であっても本発明の意図する範囲内である。
かかる構成からなる組立式の物置台にあっては、上述のストッパー７による効果に加えて、円柱部９の外径と管状体１０の内径が等しいことで、管状体１０と連結具２０がピッタリと結合して、両管状体１０の同軸度が高まり、局部的に荷重が集中する虞も無く、より壊れにくい物置台となるのである。
【００２５】
尚、上記実施形態においては、外側斜面５により組立環状溝１４を形成したが、組立環状溝１４を形成することは、本発明においては必須の要件ではなく、例えば、図７に示す如く、管状体１０の端縁と端縁とが当接する部位には、組立環状溝１４を形成せずに、前記部位からずらせて、他の部位１２に形成する場合であっても良いのである。
【００２６】
また、上記実施形態においては、支柱１の外周面に環状溝１１が、スリーブ３の内周面に凸部２５が設けられて構成されたが、本発明の組立式物置台は、上記構成に限定されるものではなく、例えば、スリーブ３の内周面に凸部２５を設けずに、ウレタンやゴム製等の粘着性素材を設け、支柱１に環状溝１１を全く設けない場合であっても本発明の意図する範囲内である。
かかる構成を採用することにより、支柱１の如何なる部位にもスリーブ３を係止させることができ、物置盤２の高さ調整が自在となるのである。
【００２７】
【発明の効果】
叙上のように、本発明にかかる組立式物置台にあっては、管状体と管状体との連結において、ズレやガタツキが防止でき、しかも、連結具にかかる負担を分散させることができるので、支柱の傾きが防止され、荷重が連結具に集中することが防止され、荷重に対して壊れにくいという利点を有するものとなるのである。
【００２８】
【図面の簡単な説明】
【図１】本発明の一実施形態を示す斜視図
【図２】同実施形態の管状体の連結機構を示す一部断面を含む要部拡大図
【図３】同実施形態の管状体の連結機構を示す拡大断面図
【図４】同実施形態の管状体、スリーブ、受け部を示す拡大断面図
【図５】他実施形態の管状体の連結機構を示す拡大断面図
【図６】他実施形態の管状体の連結機構を示す拡大断面図
【図７】他実施形態の管状体及び連結具を示す拡大断面図
【図８】従来の組立物置台を示す斜視図
【図９】従来の組立物置台の管状体及び連結具で、（イ）は連結前の状態を示す一部断面を含む要部拡大図、（ロ）は、連結後の状態を示す拡大断面図
【図１０】従来の管状体及び連結具を示す一部断面を含む要部拡大図
【図１１】ねじ合わせの過程でのズレを示す拡大断面図
【符号の説明】
１・・・支柱、３・・・スリーブ、４・・・内側斜面、６・・・雄ネジ部、７・・・ストッパー、１０・・・管状体、２０・・・連結具、２１・・・受け部、２２・・・位置決め溝、２３・・・凹部
【図１】
0004261668.tif 000002
【図２】
0004261668.tif 000003
【図３】
0004261668.tif 000004
【図４】
0004261668.tif 000005
【図５】
0004261668.tif 000006
【図６】
0004261668.tif 000007
【図７】
0004261668.tif 000008
【図８】
0004261668.tif 000009
【図９】
0004261668.tif 000010
【図１０】
0004261668.tif 000011
【図１１】
0004261668.tif 000012